(57)【要約】【課題】簡単でしかも損傷しにくい機構を備えた、ドアの取付位置が微調整可能な蝶番を提供する。【解決手段】上羽根板（１）と、下羽根板（２）と、リング（３）と、上蓋（６）と、下蓋（７）と、芯棒（８）とからなる。前記リング（３）を、第１及び第２リング（４，５）の２つのリングで互いにスライド可能に形成している。前記第１リング（４）には、内側に向かう少なくとも３種類の厚みの異なる延長部（４２ａ，４２ｂ，４２ｃ）と各延長部の仕切りとなる境界部（４３）を設けている。前記第２リング（５）の先端には、前記少なくとも３種類の厚みの異なる延長部に選択的に接触可能な突起（５２）を設けている。【選択図】図１
2010270513.tif 000002
【特許請求の範囲】
【請求項１】
一端をカールさせて上管部（１１）を形成させた上羽根板（１）と、  
一端をカールさせて下管部（２１）を形成させた下羽根板（２）と、
前記上羽根板（１）と前記下羽根板（２）の間に位置するリング（３）と、
前記上管部（１１）の上部をふさぐ上蓋（６）と、
前記下管部（２１）の下部をふさぐ下蓋（７）と、
前記上管部（１１）と前記下管部（２１）と前記リング（３）を貫通する芯棒（８）とからなるものにおいて、
前記リング（３）を、第１及び第２リング（４，５）の２つのリングで互いにスライド可能に形成し、
前記第１リング（４）には、内側に向かう少なくとも３種類の厚みの異なる延長部（４２ａ，４２ｂ，４２ｃ）と各延長部の仕切りとなる境界部（４３）を設け、
前記第２リング（５）の先端には、前記少なくとも３種類の厚みの異なる延長部に選択的に接触可能な突起（５２）を設けた
ことを有することを特徴とする蝶番。
【請求項２】
前記第１リング（４）において、３種類の厚みの異なる延長部（４２ａ，４２ｂ，４２ｃ）が２本ずつ対向して設けられており、前記第２リング（５）の先端において２本の突起（５２）が設けられている請求項１記載の蝶番。
【請求項３】
前記境界部（４３）が厚みの異なる延長部（４２ａ，４２ｂ，４２ｃ）のもっとも厚いものよりもさらに高い位置に隆起している請求項１記載の蝶番。
【請求項４】
前記境界部（４３）及び前記突起（５２）が台形状に隆起している請求項１記載の蝶番。
【発明の詳細な説明】
【技術分野】
【０００１】
本発明は、上下調整可能な蝶番に関する。
【背景技術】
【０００２】
ドアの取付状態を調節するためにドアの取付位置が調整可能であることが好ましい。この目的を達成するために上下調整可能な機構を有する蝶番が多数知られている。
【０００３】
例えば、特開２００２−３０９８３６では上下調整ネジを回動させ、羽根板を上下動させることにより上下調整を行っている。特開２００２−２５０１７０では、傘歯車を回動することによりネジ軸を上下動させて上下調整を行っている。
【発明の概要】
【発明が解決しようとする課題】
【０００４】
上記従来技術では、上下調整ネジや傘歯車を使用しているが、これらは度重なるドアの開閉操作により、損傷したりして精度を失いやすい。
【０００５】
本発明では、簡単でしかも損傷しにくい機構を備えた、ドアの取付位置が微調整可能な蝶番を提供することを目的とする。
【課題を解決するための手段】
【０００６】
請求項１の発明は、蝶番であって、一端をカールさせて上管部（１１）を形成させた上羽根板（１）と、  一端をカールさせて下管部（２１）を形成させた下羽根板（２）と、前記上羽根板（１）と前記下羽根板（２）の間に位置するリング（３）と、前記上管部（１１）の上部をふさぐ上蓋（４）と、前記下管部（２１）の下部をふさぐ下蓋（５）と、前記上管部（１１）と前記下管部（２１）とリング（３）を貫通する芯棒（７）とからなるものにおいて、前記リングを、第１及び第２リングの２つのリングで互いにスライド可能に形成し、前記第１リングには、内側に向かう少なくとも３種類の厚みの異なる延長部と各延長部の仕切となる境界部を設け、前記第２リングの先端には、前記少なくとも３種類の厚みの異なる延長部に選択的に接触可能な突起を設けたことを有することを特徴とする。
【０００７】
請求項２の発明は、前記第１リングにおいて、３種類の厚みの異なる延長部が２本ずつ対向して設けられており、前記第２リングの先端において２本の突起が設けられているものである。
【０００８】
請求項３の発明は、前記境界部が厚みの異なる延長部のもっとも厚いものよりもさらに高い位置に隆起しているものである。
【０００９】
請求項４発明は、前記境界部及び前記突起が断面が台形状に隆起しているものである。
【発明の効果】
【００１０】
請求項１の発明によれば、リングは、第１及び第２リングの２つのリングで互いにスライド可能に形成されている。そして、前記第１リングの少なくとも３種類の厚みの異なる延長部と、前記第２リングの突起を選択的に接触させることで、リングの長さを調整することができる。
【００１１】
請求項２の発明によれば、第１リングの延長部は、基準位置、基準位置より上方位置、基準位置より下方位置の３種類であり、第２リングの突起は２本である。場所的な制約からこの数がもっとも合理的と考えられる。
【００１２】
請求項３の発明によれば、境界部を厚みの異なる延長部のもっとも厚いものよりもさらに高い位置に隆起させる。これにより、リングの長さの変更が不用意に起こらず、人為的にのみ行われることになる。
【００１３】
請求項４の発明によれば、境界部及び突起は傾斜を有する台形状なので、選択作業がスムーズに行われる。
【図面の簡単な説明】
【００１４】
【図１】本発明第１実施例に係る蝶番の断面図である。
【図２】リングの拡大斜視図である。
【図３】上側リングの（ａ）平面図、（ｂ）底面図、（ｃ）断面図、（ｄ）側面図である。
【図４】下側リングの（ａ）平面図、（ｂ）底面図、（ｃ）断面図、（ｄ）側面図である。
【図５】上下リングを組み合わせた状態の断面図であり、（ａ）は上昇位置、（ｂ）は基準位置、（ｃ）は下降位置である。
【発明を実施するための形態】
【００１５】
以下、添付の図面に基づき、本発明の実施例を説明する。
【実施例１】
【００１６】
図１に示すように、この蝶番は、回転可能な上羽根板１と下羽根板２をリング３でつなぐと共に、上下を蓋６，７で閉鎖している。
【００１７】
上下の羽根板１，２は、それぞれ金属製であり、一端をカールさせて管部１１，２１を形成している。また、ねじ取り付け用に複数の孔１２，２２を有する。
【００１８】
図１に示すように、上管部１１、リング３及び下管部２１を貫くように、芯棒８が配置されている。
【００１９】
図２〜により、本発明の特徴部分であるリング３についてさらに詳しく説明する。
【００２０】
リング３は金属又は合成樹脂製であり、上下２枚のリング４，５を組み合わせて形成されている。
【００２１】
上側リング４は上下に開口し、その開口４１を芯棒８が貫通する。上部開口端部は内側に向かって延長部４２を有し、そのような延長部４２を有さない下部開口端部よりも開口部の直径が小さい。
【００２２】
この延長部４２の厚みは３種類設定されている。それぞれを第１延長部（厚み・大）４２ａ、第２延長部（厚み・中）４２ｂ、第３延長部（厚み・小）４２ｃと呼ぶと、その第１〜第３延長部は、それぞれ２本ずつ形成されており、合計６本の延長部は、隆起した６本の境界部４３により仕切られている。第１〜第３延長部は、同じ厚みのものが向かい合うように設定されている。
【００２３】
上側リングの第１〜第３延長部４２ａ，４２ｂ，４２ｃの厚みは異なるので、（１）中間位置、（２）中間位置よりも低い下方位置、および（３）中間位置よりも高い上方位置を構成する。この実施例では、下方位置は基準位置よりも１ｍｍ下に設定され、上方位置は基準位置よりも１ｍｍ上に設定されている。境界部４３は上方位置よりもさらに２〜３ｍｍ高い位置に隆起している。境界部４３は、側面から見て垂直に隆起させるのではなく、やや傾けて隆起させ、台形状とすることが好ましい。その結果、第１〜第３延長部のそれぞれはすり鉢状の底面を形成する。
【００２４】
下側リング５は、上下に開口し、その開口５１を芯棒８が貫通する。上部開口端部は上側に向かって２本の突起５２を有する。２本の突起は側面から見て垂直に隆起させるのではなく、やや傾けて隆起させ、台形状とすることが好ましい。山の頂上は水平面とし、上側リングの第１〜第３延長部４２ａ，４２ｂ，４２ｃとほぼ等しい長さとする。
【００２５】
下側リング５の外形は、上側リング４の内径よりも小さいので、下側リング５は上側リング４の中にスライド移動が可能である。下側リング５を上側リング４の中に挿入すると、下側リング５の突起５２が上側リングの第１〜第３延長部４２ａ，４２ｂ，４２ｃの何れかに接触する。
【００２６】
図５（ｂ）に示すように、下側リングの突起５２が上側リングの中間位置（第２延長部４２ｂ）に接触したときは、通常のリングの長さＬ１となる。図５（ａ）に示すように、下側リングの突起５２が上側リング４の下方位置（第１延長部４２ａ）に接触したときは、リングの長さＬ２は通常の長さよりも１ｍｍ長くなる。図５（ｃ）に示すように、下側リングの突起５２が上側リングの上方位置（第３延長部４２ｃ）に接触したときは、リングの長さＬ３は通常の長さよりも１ｍｍ短くなる。
【００２７】
このようにして、この蝶番はリングの長さを３種類に設定できるので、蝶番の高さも３種類の中から選択することができる。蝶番の高さを変更したいと思ったときには、下側リングの突起５２が接触している上側リングの延長部を別の延長部に変更する。そのためには、蝶番の上蓋６を外しておき、蝶番を取り付けたドアを境界部の高さ以上に持ち上げ、下側リングの突起５２が上側リングの境界部４３を乗り越えたのを確認してから、別の延長部の位置に移動させればよい。
【実施例２】
【００２８】
図示しないが、実施例１において、リング３（４，５）の上下を逆転させても同じ効果が得られる。
【先行技術文献】
【特許文献】
【００２９】
【特許文献１】特開２００２−３０９８３６
【特許文献２】特開２００２−２５０１７０
【符号の説明】
【００３０】
１     上羽根板
１１     上管部
２     下羽根板
２１  下管部
３     リング
４     上側リング
４１     開口
４２   延長部
４２ａ 第１延長部
４２ｂ 第２延長部
４２ｃ 第３延長部
４３     境界部
５     下側リング
５１   開口
５２   突起
６     上蓋
７     下蓋
８     芯棒
【図１】
2010270513.tif 000003
【図２】
2010270513.tif 000004
【図３】
2010270513.tif 000005
【図４】
2010270513.tif 000006
【図５】
2010270513.tif 000007